(57)【特許請求の範囲】
【請求項１】
当て板部材と、その当て板部材の前面に横設される皿部材と、それら当て板部材及び皿部材の前面側を覆う前飾り部材とを含み形成される球受皿を備えた遊技機であって、
前記球受皿に遊技球を導入する球導入通路を備え、
前記当て板部材には、前記球導入通路から前記皿部材に遊技球を導入する球導入口が貫通形成されており、
前記球導入通路の天井壁の上方には、前記球導入口を介して該球導入通路に火が放たれた場合にその火元或いは引火した球導入通路の火災を消火する消火ユニットが設けられ、
前記消火ユニットは、箱形状をなし下方に開口する開口部を有したベース体と、そのベース体の開口部を覆う底蓋シートと、前記ベース体及び底蓋シート内に収容された消火剤とを備え、
前記底蓋シートは、前記火元又は前記引火した球導入通路の火災の熱又は炎によって即座に溶け或いは延焼して前記開口部を開放し、前記消火剤を火災にふりかけて消火することを特徴とする遊技機。
【請求項２】
前記球導入通路の天井壁は、前記消火剤を通路内部に誘導する貫通孔を有している請求項１記載の遊技機。
【請求項３】
当て板部材と、その当て板部材の前面に横設される皿部材と、それら当て板部材及び皿部材の前面側を覆う前飾り部材とを含み形成される球受皿を備えた遊技機であって、
前記球受皿は、前記当て板部材、皿部材及び前飾り部材によって囲まれた中空部を有して形成され、その中空部に火が放たれて火災が発生した場合に該火災を消火する消火ユニットが前記皿部材の底壁の下面に固定配置されていることを特徴とする遊技機。
【請求項４】
前記消火ユニットは、箱形状をなし下方に開口する開口部を有したベース体と、そのベース体の開口部を覆う底蓋シートと、前記ベース体及び底蓋シート内に収容された消火剤とを備え、
前記底蓋シートは、前記球受皿の中空部に発生した火災の熱又は炎によって即座に溶け或いは延焼して前記開口部を開放し、前記消火剤を火災にふりかけて消火する請求項３に記載の遊技機。
【請求項５】
前記消化ユニットは、前記皿部材の底壁全面にわたって形成されている請求項３又は４に記載の遊技機。
【発明の詳細な説明】
【技術分野】
【０００１】
本発明は、球受皿を備えた遊技機に関する。
【背景技術】
【０００２】
従来の弾球遊技機には、前面側に払い出された景品球（賞球）や貸球を貯留する球受皿として上皿と下皿とが設けられ、その下皿の下皿用排出口の後方部分にある接続樋部材（球導入通路）を難燃化処理が施された自己消火性樹脂で形成されたものがある（例えば、特許文献１参照。）。
【先行技術文献】
【特許文献】
【０００３】
【特許文献１】特開平１０−２６８号公報
【発明の概要】
【発明が解決しようとする課題】
【０００４】
特許文献１記載の技術によれば、接続樋部材（球導入通路）を難燃化処理を施した自己消火性樹脂で形成することにより、下皿の後方部分にティッシュペーパーを丸めて差し込まれ、マッチやライターなどで火を付ける放火の疑いがある不審火などによって火の手が上がったとしても、その部分が燃えたりしないで自然に鎮火させることができ、最も火の手が上がり易い下皿の接続樋部材部分の変形を防止することができるとともに、未然に火災を防止することができるとしている。
【０００５】
しかしながら、自己消火性樹脂は、火元が樹脂の上側にある場合には、仮にティッシュペーパーなどが燃え上がったとしても樹脂自体には燃え広がらずそのまま火元（ティッシュペーパー等）を鎮火させることができるが、燃え上がる炎を下から直接受けた場合には、自己消火性樹脂であっても変形することなく確実に火元（ティッシュペーパー等）を鎮火させることができるとは言い難い。また、接続樋部材によって内枠の内部空間が完全に外部（通路内部）から遮断されているものではないので、その隙間から内枠全体へと炎が燃え広がる可能性は依然として解決されていないと言える。
【０００６】
また、近年の遊技機には、下皿がなく上皿だけの一体皿態様の球受皿も市場に出回っており、上記接続樋部材と同様に球抜き通路部材を形成することが可能であるが、球受皿の内部空間が完全に外部（通路内部）から遮断されているものではないので、その隙間から球受皿全体へと炎が燃え広がる問題は同様に存在する。
【０００７】
本発明は、上記実情に鑑みてなされたものであり、球受皿の後方や下側から火の手が上がったとしても、球受皿ひいては遊技機全体に炎が燃え広がるという最悪の事態を回避することが可能な遊技機を提供することにある。
【課題を解決するための手段】
【０００８】
上記課題を解決するために、本発明の遊技機は、
当て板部材と、その当て板部材の前面に横設される皿部材と、それら当て板部材及び皿部材の前面側を覆う前飾り部材とを含み形成される球受皿を備えた遊技機であって、
球受皿に遊技球を導入する球導入通路を備え、
当て板部材には、球導入通路から皿部材に遊技球を導入する球導入口が貫通形成されており、
球導入通路の天井壁の上方には、球導入口を介して該球導入通路に火災が発生した場合にその火元或いは引火した球導入通路の火災を消火する消火ユニットが設けられ、
前記消火ユニットは、箱形状をなし下方に開口する開口部を有したベース体と、そのベース体の開口部を覆う底蓋シートと、前記ベース体及び底蓋シート内に収容された消火剤とを備え、
前記底蓋シートは、前記火元又は前記引火した球導入通路の火災の熱又は炎によって即座に溶け或いは延焼して前記開口部を開放し、前記消火剤を火災にふりかけて消火することを特徴とする。
【０００９】
上記課題を解決するために、本発明の遊技機は、
当て板部材と、その当て板部材の前面に横設される皿部材と、それら当て板部材及び皿部材の前面側を覆う前飾り部材とを含み形成される球受皿を備えた遊技機であって、
球受皿は、当て板部材、皿部材及び前飾り部材によって囲まれた中空部を有して形成され、その中空部に火が放たれて火災が発生した場合に該火災を消火する消火ユニットが皿部材の底壁の下面に固定配置されていることを特徴とする。
【発明の効果】
【００１０】
上記本発明の遊技機によれば、球受皿を形成する当て板部材の球導入口から延びる球導入通路の天井壁の上方に、該球導入通路で火災が発生した場合にその火災を消火する消火ユニットが設けられている。これによれば、仮に、球導入口からティッシュペーパーなどを丸めて差し込み、マッチやライターなどでそのティッシュペーパーに火を点ける放火の疑いがある不審火などによって火の手が上がった場合にも、その火元となる可能性が大きい球導入通路で初期消火することができるので、遊技機全体が延焼し、ひいては遊技店全体が火災になるのを防ぐ防火効果を高めることができる。なお、球導入通路としては、所定の条件によって球払出装置から遊技球が賞球・貸球として払い出される球払出通路や、球受皿として球発射装置に遊技球を供給する上皿から余剰球として球払出通路からのオーバーフローした遊技球を下皿へと誘導する球通路などが含まれる。
【００１１】
また、消火ユニットは、箱形状をなし下方に開口する開口部を有したベース体と、そのベース体の開口部を覆う底蓋シートと、ベース体及び底蓋シート内に収容された消火剤とを備え、
底蓋シートは、火元又は引火した球導入通路の火災の熱又は炎によって即座に溶け或いは延焼して開口部を開放し、消火剤を火災にふりかけて消火する構成とすることができる。これによれば、消火剤ユニットは、球導入通路の天井壁と上下方向に対向した下方側に開口するベース体に、火災の熱又は炎によって即座に溶け或いは延焼する底蓋シートによって消火剤が内封されているので、仮に、球導入通路で火災が発生した場合にも、迅速に初期消火を行うことができる。
【００１２】
ここで、消火剤の形態としては、粉末状の消火剤を用いることができる。その場合には、底蓋シートが溶け或いは延焼してベース体の開口部が開口されて消火剤が該開口部から落下したときに、底蓋シートが溶け或いは延焼し始めた位置に集中することなく火元（球導入通路）にふりかけることができる。ひいては、火災の燃焼反応を抑制して、効果的に初期消火を行うことができる。また、消火剤の形態としては、泡状の消火剤を用いることができる。その場合には、底蓋シートが開放した際に発泡する泡状の消火剤が好ましく、泡状の消火剤によって炎を酸欠状態にして、効果的に初期消火を行うことができる。
【００１３】
また、球導入通路の天井壁は、消火剤を通路内部に誘導する貫通孔を有する構成とすることができる。これによれば、仮に球導入口を介して球導入通路内で火の手が上がった場合でも、その熱や炎が天井壁に形成された貫通孔を介して即座に消火剤（底蓋シート）に到達するため、通路自体が燃えてしまう前に、初期消火を行うことができる。
【００１４】
上記本発明の遊技機によれば、球受皿は、当て板部材、皿部材及び前飾り部材によって囲まれた中空部を有して形成され、その中空部に火災が発生した場合に該火災を消火する消火ユニットが皿部材の底壁の下面に固定配置されている。これによれば、仮に、球受皿の下側に形成された球抜き用の球排出口を介して、或いはスピーカーの前面側に形成された貫通孔群を介して、ティッシュペーパーなどを丸めて差し込み、マッチやライターなどでそのティッシュペーパーに火を点ける放火の疑いがある不審火などによって火の手が上記中空部（中空部に形成される球導入通路を含む）に発生した場合にも、その火元となる可能性が大きい中空部で初期消火することができるので、球受皿全体、遊技機全体が延焼し、ひいては遊技店全体が火災になるのを防ぐ防火効果を高めることができる。
【００１５】
消火ユニットは、箱形状をなし下方に開口する開口部を有したベース体と、そのベース体の開口部を覆う底蓋シートと、ベース体及び底蓋シート内に収容された消火剤とを備え、
底蓋シートは、球受皿の中空部に発生した火災の熱又は炎によって即座に溶け或いは延焼して開口部を開放し、消火剤を火災にふりかけて消火する構成とすることができる。これによれば、消火剤ユニットは、球受皿の中空部の天井壁として下方側に開口するベース体に、火災の熱又は炎によって即座に溶け或いは延焼する底蓋シートによって消火剤が内封されているので、仮に、中空部で火災が発生した場合にも、迅速に初期消火を行うことができる。
【００１６】
ここで、消火剤の形態としては、粉末状の消火剤を用いることができる。その場合には、底蓋シートが溶け或いは延焼してベース体の開口部が開口されて消火剤が該開口部から落下したときに、底蓋シートが溶け或いは延焼し始めた位置に集中することなく火元（球導入通路）にふりかけることができる。ひいては、火災の燃焼反応を抑制して、効果的に初期消火を行うことができる。また、消火剤の形態としては、泡状の消火剤を用いることができる。その場合には、底蓋シートが開放した際に発泡する泡状の消火剤が好ましく、泡状の消火剤によって炎を酸欠状態にして、初期消火を行うことができる。特には、消火剤が上記中空部全体に発泡して広がるようにすれば、一層効果的に初期消火を行うことができる。
【００１７】
また、消化ユニットは、皿部材の底壁全面にわたって形成されている構成とすることができる。これによれば、消火ユニットが、皿部材の底壁全面にわたって形成されているので、中空部を略全体にわたって覆うこととなり、球受皿に発生する火の手を全域にわたり対応して初期消火を行うことが可能となる。
【図面の簡単な説明】
【００１８】
【図１】本発明の実施形態に係る遊技機の一例を示す斜視図である。
【図２】図１の球受皿を分解した斜視図である。
【図３】図１の球受皿の一部を分解した斜視図である。
【図４】消火ユニットの消火作動を説明する図である。
【図５】別の実施形態に係る特徴部分を示す断面図である。
【図６】別の実施形態に係る特徴部分を示す正面図である。
【発明を実施するための形態】
【００１９】
以下、本発明における実施形態について図面を参照しつつ説明する。
【実施例】
【００２０】
図１に示すように、遊技機（以下、パチンコ機ともいう）１は、そのパチンコ機１の外郭を形成する額縁状の外枠２を備え、その外枠２の前面に一側をヒンジ２ａを介して軸支して、その前面側に向かって所定の軸線Ｏ１回りで片開き可能に内枠３が支持されている。そして、内枠３には、特に図示しないが、ガイドレールにより遊技領域が形成された遊技盤が装着され、その下方に球発射装置が設けられている。また、内枠３の前方側には、ヒンジ２ｂを介して内枠３に所定の軸線Ｏ１回りで開閉自在に取り付けられ、ガラスなどの透明板５が装着された前枠４が設けられている。また、前枠４の前面下部には、遊技球を貯留し且つその貯留した遊技球を整流して球発射装置に供給する球受皿６が設けられている。また、この球受皿６の右下側には、遊技球の発射力を調節する球発射ハンドル７が設けられている。
【００２１】
なお、本明細書において、パチンコ機１における前後方向とは透明板５（遊技盤）の主面と直交する方向（図１等に示す代表例では水平方向）を意味し、透明板５の遊技者側が前方側であり、透明板５の奥側（遊技盤側）が後方側である。また、左右方向とは透明板５の板面に沿う態様で前後方向に直交する方向（図１等に示す代表例では水平方向）を意味する。また、上下方向とは透明板５の主面に沿う態様で軸線Ｏ１に沿った方向（図１等に示す代表例では鉛直方向）を意味する。
【００２２】
内枠３は、アルミなどの金属や合成樹脂により縦長方形状で、遊技盤が装着される窓部が開設された枠状に形成されている。窓部の背面上方には、遊技機島の補給経路（図示せず）から補給される遊技球を貯留する補給タンク８が設けられている。また、補給タンク８の下流側に遊技球を整列して流下させる直線及び屈曲状の球誘導路が設けられている。また、その球誘導路の下流側には所定個数の遊技球を計数して払い出す球払出装置が設けられている。そして、その球払出装置の下流側には、球払出装置から払出された遊技球を払出口１１（図１、図３参照）から球受皿６へと誘導する球払出通路１１ａが設けられている。
【００２３】
次に、球受皿６の構成について詳しく説明する。球受皿６は、図１ないし図３に示すように、当て板部材１０と、その当て板部材１０の前面１０ａに横設される皿部材２０と、それら当て板部材１０及び皿部材２０の前面側を覆う前飾り部材３０とを備えている。また、球受皿６は、当て板部材１０、皿部材２０及び前飾り部材３０によって囲まれた中空部Ｓを有して形成され（図４参照）、その中空部Ｓに火が放たれて火災が発生した場合に該火災を消火する消火ユニット４０が皿部材２０の底壁２１の下面２１ａに固定配置されている。また、球受皿６は、皿部材２０の遊技球を遊技球収容箱（図示せず）に排出するための球抜き孔３６ａに連絡する球通路部材５０を備えている。また、球受皿６は、これら当て板部材１０、皿部材２０、前飾り部材３０及び球通路部材５０は、合成樹脂によって形成されている。
【００２４】
皿部材２０は、図２に示すように、底壁２１と、その底壁２１の前周縁から立ち上がる前周壁２２とを備え、半皿状形態に形成されている。そして、皿部材２０及び当て板部材１０によって、遊技球を一時的に貯留する貯留部と、その貯留部で貯留した遊技球を球発射装置に１個ずつ供給するために１列に整列して流下させる整流通路とを形成している。なお、皿部材２０の底壁２１には、消火ユニット４０に配設されるシャッター部材４１ｃによって開閉される球抜き開口２１ｂが貫通形成されている。また、この球抜き開口２１ｂを開閉するシャッター部材４１ｃを、皿部材２０の底壁２１の下面２１ａ側に設けてもよい。
【００２５】
当て板部材１０は、図２及び図３に示すように、皿部材２０の後側に配置され、上記した貯留部及び整流通路の後壁として板状形態に形成されている。また、当て板部材１０は、図示しない球払出装置から払い出され球払出通路１１ａによって誘導された遊技球を皿部材２０の貯留部に受け入れる球払出口１１や、その皿部材２０の整流通路で整流された遊技球を球発射装置に供給するための球供給口１２が貫通形成されている。
【００２６】
前飾り部材３０は、当て板部材１０及び皿部材２０の前面側を覆う前壁部３１と、その前壁部３１の上縁部から皿部材２０の前周壁２２の上縁部へ延出される上壁部３２と、前壁部３１の下縁部から当て板部材１０に延出される下壁部３６とを備えている。上壁部３２には、遊技球の球貸や返却など操作する球貸し操作部（操作ユニット）３３や、遊技態様に合わせて遊技者が参加（操作）する演出操作部（操作ボタン）３４などが配置されている。また、前壁部３１には、中空部Ｓに設けられたスピーカー（図示せず）の音波を前面側に放出するための貫通孔群３５が球発射ハンドル７の近傍に形成されている。また、下壁部３６には、球通路部材５０から遊技球収容箱に排出する球抜き孔３６ａが形成されている。
【００２７】
球通路部材５０は、皿部材２０の底壁２１の球抜き開口２１ｂ（又は、球抜き開口２１ｂに接続される消火ユニット４０に形成される球通路（図示せず））から前飾り部材３０の球抜き孔３６ａに遊技球を誘導するために設けられている。本実施形態においては、球通路部材５０は、所定の方向変換部を有して屈曲形態をなし、遊技球を前方（横方向）に転動（誘導）させる通路部分に複数の貫通孔５１ａが形成された天井壁５１を備えている。なお、この天井壁５１は、消火ユニット４０の後述する底壁シート４２の下方に対向配置される。
【００２８】
次に消火ユニット４０について詳しく説明する。
消火ユニット４０は、図３及び図４に示すように、皿部材２０の底壁２１全域にわたって形成されている。また、消火ユニット４０は、箱形状をなし下方に開口する開口部４１ａを有したベース体４１と、そのベース体４１の開口部４１ａを覆う底蓋シート４２と、ベース体４１及び底蓋シート４２内に収容された粉末状の消火剤Ｆとを備えている。ベース体４１の上面側には、皿部材２０の底壁２１の球抜き開口２１ｂを開閉するシャッター部材４１ｃが配置される収容部４１ｂが形成されている。
【００２９】
底蓋シート４２は、球受皿６の中空部Ｓに発生した火災の熱又は炎によって即座に溶け或いは延焼してベース体４１の開口部４１ａを開放する。これにより、開放された開口部４１ａから消火剤Ｆを火災にふりかけて消火することができる。具体的には、底蓋シート４２は、ポリエチレンテレフタレートなどの合成樹脂や、紙、不織布などでシート状に形成されている。また、底蓋シート４２は、ベース体４１の開口部４１ａを形成する環状の下端部に溶着、或いは接着剤を介して固着されている。
【００３０】
消火剤Ｆは、粉末状の炭酸水素ナトリウム，リン酸アンモニウム，炭酸水素カリウム，尿素など及びそれらからの反応生成物などを用いることができる。なお、これらは、直接ベース体４１に内封するように形成してもよいが、袋状物に別途、袋詰めした状態でベース体４１に内封してもよい。
【００３１】
続いて、消火ユニット４０の作動を説明する。図４（Ａ）に示すように、仮に、前飾り部材３０の底壁部３６の球抜き孔３６ａにティッシュペーパーなどの着火元１００を丸めて差し込まれ、マッチなどの着火手段１０１で火を付けた放火の疑いがある不審火などの火の手１０２が発生した場合、火の手１０２は、まず初めに球通路部材５０に引火して燃え広がる。このとき、球通路部材５０の上方に配置された消火ユニット４０の底蓋シート４２が、火の手１０２自体、或いは燃え広がった球通路部材５０の炎又はその熱によって、即座に延焼又は溶けだしてベース体４１の開口部４１ａを開放する。これにより、図４（Ｂ）に示すように、球通路部材５０に消火剤Ｆがふり注ぎ即座に初期消火を行うことができ、遊技機全体が延焼し、ひいては遊技店全体が火災になるのを防ぐ防火効果を高めることができる。
【００３２】
なお、球通路部材５０の天井壁５１には、貫通孔５１ａが形成されているので、その貫通孔５１ａを介して着火元１００の炎及び熱が消火ユニット４０の底蓋シート４２に届きやすくなっており、より一層早い段階で初期消火が行われ、球通路部材５０への燃え広がりも抑制することが可能となっている。また反対に、天井壁５１にふり注いだ粉末状の消火剤Ｆが貫通孔５１ａを介して球通路部材５０の通路内部に進入することができるので、着火元１００に対してより一層早い段階で初期消火を行うことができる。また、消火ユニット４０は、皿部材２０の底壁部２１の全域にわたって形成されているので、図２及び図３に示すように、前飾り部材３０に形成されたスピーカー用の貫通孔３５などを介して発生する火の手にも対応することができる。
【００３３】
次に、本発明における別実施形態について図面を参照しつつ説明する。なお、以下の説明では、上述した実施形態と異なる部分について主に述べ、重複する部分については同番号を付して説明を省略又は簡略化する。
【００３４】
別実施形態に係る遊技機１Ａは、上記説明した実施形態の遊技機１が一枚皿態様の球受皿６を備えた形態であるのに対し、上皿６１と下皿６２とを有する二枚皿態様の球受皿６Ａを備えた形態である。遊技機１Ａは、図５及び図６に示すように、上皿６１が球受皿６Ａとして球払出装置から遊技球を受け入れるとともに球発射装置に遊技球を供給し、下皿６２が上皿６１で満杯になりオーバーフローした遊技球を受け入れる。すなわち、内枠３には、球払出通路１１ａから分岐されて当て板部材１０に貫通形成された球導入口１３に接続され、上皿６１でオーバーフローした遊技球を下皿６２に導入（誘導）する球導入通路１３ａが設けられている。なお、球導入通路１３ａは、球導入口１３に接続される通路であり、回収したファール球を下皿６２に誘導するファール球回収通路なども含むものとする。
【００３５】
図６に示すように、球導入通路１３ａは、所定の方向変換部を有して屈曲形態をなし、球導入口１３を基準として所定距離だけ左右両方向に延出形成されている。見方を換えれば、球導入通路１３ａによって左右両側から遊技球を集合させて球導入口１３で下皿６２に導入するようになっている。また、球導入通路１３ａは、遊技球を球導入口１３に集合させるように横方向に転動（誘導）させる通路部分に貫通孔１４を有した天井壁１５を備えている。そして、球導入通路１３ａの天井壁１５の上方には、球導入口１３を介して球導入通路１３ａに火災が発生した場合に該火災を消火する消火ユニット４０が設けられている。
【００３６】
消火ユニット４０は、箱形状をなし下方に開口する開口部４１ａを有したベース体４１と、そのベース体４１の開口部４１ａを覆う底蓋シート４２と、ベース体４１及び底蓋シート４２内に収容された粉末状の消火剤Ｆとを備えている。ベース体４１（消火ユニット４０）は、球導入通路１３ａに沿って左右方向に長手状形態をなして形成されている。底蓋シート４２は、球導入通路１３ａに発生した火災の熱又は炎によって即座に溶け或いは延焼してベース体４１の開口部４１ａを開放する。これにより、開放された開口部４１ａから消火剤Ｆを火災にふりかけて消火することができる。
【００３７】
なお、別実施形態に係る遊技機１Ａには、図５に示すように、上皿６１の皿部材２０における底壁２１の下面２１ａに消火ユニット４０が固定配置されている。これにより、上皿６１の下側で火の手が上がり中空部Ｓに火災が発生した場合にも、消火剤Ｆを火災にふりかけて消火することができる。
【００３８】
本発明では遊技機の一例としてパチンコ機について説明したが、他に例えばアレンジボール遊技機や、雀球遊技機、回胴式遊技機等の遊技機に適用することができる。また、消火剤ユニット４０を球払出通路１１ａの上方に配置してもよい。また、消火剤Ｆの形態として粉末状として説明したが、液状でもよく、また、底蓋シート４２が開放した際に発泡する泡状の消火剤を使用してもよい。なお、回胴式遊技機の場合には、球導入通路及び球導入口などはメダル（コイン）導入通路及びメダル（コイン）導入口として置き換えることとなる。
【符号の説明】
【００３９】
１，１Ａ  遊技機
２  外枠
３  内枠
４  前枠
６，６Ａ  球受皿
７  球発射ハンドル
１０  当て板部材
１３  球導入口
１３ａ  球導入通路
１４  貫通孔
１５  天井壁
２０  皿部材
３０  前飾り部材
３６ａ  球抜き孔
４０  消火ユニット
４１  ベース体
４１ａ  開口部
４２  底蓋シート
５０  球通路部材
５１  天井壁
５１ａ  貫通孔
６１  上皿
６２  下皿
Ｆ  消火剤
Ｓ  中空部
【図１】
0005460361.tif 000002
【図２】
0005460361.tif 000003
【図３】
0005460361.tif 000004
【図４】
0005460361.tif 000005
【図５】
0005460361.tif 000006
【図６】
0005460361.tif 000007